【手続補正書】
【提出日】平成18年6月22日(2006.6.22)
【手続補正１】
【補正対象書類名】明細書
【補正対象項目名】発明の名称
【補正方法】変更
【補正の内容】
【発明の名称】電子写真感光体ドラム及びプロセスカートリッジ
【手続補正２】
【補正対象書類名】明細書
【補正対象項目名】特許請求の範囲
【補正方法】変更
【補正の内容】
【特許請求の範囲】
【請求項１】  電子写真画像形成装置に用いられる、ドラム軸によって回転可能に支持される電子写真感光体ドラムにおいて、
表面に電子写真感光体を有するシリンダと、
前記シリンダの軸線方向の端部に設けられたフランジであって、前記シリンダと係合する外周部と、前記ドラム軸と嵌合する穴部と、半径方向に延びて円周方向に複数設けられたリブと、を有し、前記複数のリブと前記外周部とが交わる位置以外で、かつ、前記シリンダの一部が前記穴部を挟んで対向する２箇所の位置で、前記半径方向の内側に曲げられて、前記シリンダがかしめられたフランジと、
を有することを特徴とする電子写真感光体ドラム。
【請求項２】  更に前記フランジは、前記半径方向に前記外周部と前記穴部との間に環状のリブを有することを特徴とする請求項１に記載の電子写真感光体ドラム。
【請求項３】  電子写真画像形成装置に着脱可能なプロセスカートリッジにおいて、
（ｉ）カートリッジ枠体と、
（ｉｉ）前記カートリッジ枠体に支持されたドラム軸と、
（ｉｉｉ）表面に電子写真感光体を有するシリンダと、
前記シリンダの軸線方向の端部に設けられたフランジであって、前記シリンダと係合する外周部と、前記ドラム軸と嵌合する穴部と、半径方向に延びて円周方向に複数設けられたリブと、を有し、前記複数のリブと前記外周部とが交わる位置以外で、かつ、前記シリンダの一部が前記穴部を挟んで対向する２箇所の位置で、前記半径方向の内側に曲げられて、前記シリンダがかしめられたフランジと、
を有する、前記ドラム軸によって回転可能に支持された電子写真感光体ドラムと、
（ｉｖ）前記電子写真感光体ドラムに作用するプロセス手段と、
を有することを特徴とするプロセスカートリッジ。
【請求項４】  更に前記フランジは、前記半径方向において前記外周部と前記穴部との間に環状のリブを有することを特徴とする請求項３に記載のプロセスカートリッジ。
【請求項５】  電子写真画像形成装置に用いられる、ドラム軸によって回転可能に支持された電子写真感光体ドラムにおいて、
表面に電子写真感光体を有するシリンダと、
前記シリンダの軸線方向の端部に設けられたフランジであって、前記シリンダと係合する外周部と、前記ドラム軸と嵌合する穴部と、前記ドラム軸と交差する方向において前記ドラム軸に設けられた固定ピンと係合する、半径方向に延びた溝であって、前記ドラム軸からの駆動力を受ける溝と、を有し、前記溝の延長線と前記外周部と交わる位置から、前記溝の延長線の両側方向に前記穴部の中心を通って前記溝に対して４５°の角度をなす線と前記外周部が交わる位置までの間の前記外周部で、前記穴部を挟んで対向する２箇所の位置において、前記シリンダの一部が前記半径方向において内側に曲げられて、前記シリンダがかしめられたフランジと、
を有することを特徴とする電子写真感光体ドラム。
【請求項６】  前記フランジには、前記溝の延長線と前記外周部と交わる位置において、前記シリンダがかしめられていることを特徴とする請求項５に記載の電子写真感光体ドラム。
【請求項７】  電子写真画像形成装置に着脱可能なプロセスカートリッジにおいて、
（ｉ）カートリッジ枠体と、
（ｉｉ）前記カートリッジ枠体に支持されたドラム軸と、
（ｉｉｉ）表面に電子写真感光体を有するシリンダと、
前記シリンダの軸線方向の端部に設けられたフランジであって、前記シリンダと係合する外周部と、前記ドラム軸と嵌合する穴部と、前記ドラム軸と交差する方向において前記ドラム軸に設けられた固定ピンと係合する、半径方向に延びた溝であって、前記ドラム軸からの駆動力を受ける溝と、を有し、前記溝の延長線と前記外周部と交わる位置から、前記溝の延長線の両側方向に前記穴部の中心を通って前記溝に対して４５°の角度をなす線と前記外周部が交わる位置までの間の前記外周部で、前記穴部を挟んで対向する２箇所の位置において、前記シリンダの一部が前記半径方向において内側に曲げられて、前記シリンダがかしめられたフランジと、
を有する、前記ドラム軸によって回転可能に支持された電子写真感光体ドラムと、
（ｉｖ）前記電子写真感光体ドラムに作用するプロセス手段と、
を有することを特徴とするプロセスカートリッジ。
【請求項８】  前記フランジには、前記溝の延長線と前記外周部と交わる位置において、前記シリンダがかしめられていることを特徴とする請求項７に記載のプロセスカートリッジ。
【手続補正３】
【補正対象書類名】明細書
【補正対象項目名】０００１
【補正方法】変更
【補正の内容】
【０００１】
【発明の属する技術分野】
本発明は、電子写真方式を採用する複写機やプリンタ等に使用される電子写真感光体ドラム及び前記電子写真感光体ドラムを用いたプロセスカートリッジに関するものである。
【手続補正４】
【補正対象書類名】明細書
【補正対象項目名】０００７
【補正方法】変更
【補正の内容】
【０００７】
本発明の目的は、電子写真感光体ドラムの回転精度を向上させた電子写真感光体ドラム、及び、プロセスカートリッジを提供することにある。
【手続補正５】
【補正対象書類名】明細書
【補正対象項目名】０００８
【補正方法】変更
【補正の内容】
【０００８】
また、本発明の他の目的は、電子写真感光体ドラムを回転可能に支持するための穴部の変形を抑えることのできる電子写真感光体ドラム、及び、プロセスカートリッジを提供することにある。
【手続補正６】
【補正対象書類名】明細書
【補正対象項目名】０００９
【補正方法】変更
【補正の内容】
【０００９】
また、本発明の他の目的は、フランジとシリンダとの抜け強度を向上させた電子写真感光体ドラム、及び、プロセスカートリッジを提供することにある。
【手続補正７】
【補正対象書類名】明細書
【補正対象項目名】００１０
【補正方法】変更
【補正の内容】
【００１０】
また、本発明の他の目的は、フランジとシリンダとの回転強度を向上させた電子写真感光体ドラム、及び、プロセスカートリッジを提供することにある。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
【課題を解決するための手段】
前記目的を達成するための本発明の代表的な構成は、電子写真画像形成装置に用いられる、ドラム軸によって回転可能に支持される電子写真感光体ドラムにおいて、表面に電子写真感光体を有するシリンダと、前記シリンダの軸線方向の端部に設けられたフランジであって、前記シリンダと係合する外周部と、前記ドラム軸と嵌合する穴部と、半径方向に延びて円周方向に複数設けられたリブと、を有し、前記複数のリブと前記外周部とが交わる位置以外で、かつ、前記シリンダの一部が前記穴部を挟んで対向する２箇所の位置で、前記半径方向の内側に曲げられて、前記シリンダがかしめられたフランジと、を有することを特徴とする電子写真感光体ドラムである。
【手続補正１８】
【補正対象書類名】明細書
【補正対象項目名】００２１
【補正方法】変更
【補正の内容】
【００２１】
また、前記目的を達成するための本発明の他の構成は、電子写真画像形成装置に着脱可能なプロセスカートリッジにおいて、（ｉ）カートリッジ枠体と、（ｉｉ）前記カートリッジ枠体に支持されたドラム軸と、（ｉｉｉ）表面に電子写真感光体を有するシリンダと、前記シリンダの軸線方向の端部に設けられたフランジであって、前記シリンダと係合する外周部と、前記ドラム軸と嵌合する穴部と、半径方向に延びて円周方向に複数設けられたリブと、を有し、前記複数のリブと前記外周部とが交わる位置以外で、かつ、前記シリンダの一部が前記穴部を挟んで対向する２箇所の位置で、前記半径方向の内側に曲げられて、前記シリンダがかしめられたフランジと、を有する、前記ドラム軸によって回転可能に支持された電子写真感光体ドラムと、（ｉｖ）前記電子写真感光体ドラムに作用するプロセス手段と、を有することを特徴とするプロセスカートリッジである。
【手続補正１９】
【補正対象書類名】明細書
【補正対象項目名】００２２
【補正方法】変更
【補正の内容】
【００２２】
また、前記目的を達成するための本発明の他の構成は、電子写真画像形成装置に用いられる、ドラム軸によって回転可能に支持された電子写真感光体ドラムにおいて、表面に電子写真感光体を有するシリンダと、前記シリンダの軸線方向の端部に設けられたフランジであって、前記シリンダと係合する外周部と、前記ドラム軸と嵌合する穴部と、前記ドラム軸と交差する方向において前記ドラム軸に設けられた固定ピンと係合する、半径方向に延びた溝であって、前記ドラム軸からの駆動力を受ける溝と、を有し、前記溝の延長線と前記外周部と交わる位置から、前記溝の延長線の両側方向に前記穴部の中心を通って前記溝に対して４５°の角度をなす線と前記外周部が交わる位置までの間の前記外周部で、前記穴部を挟んで対向する２箇所の位置において、前記シリンダの一部が前記半径方向において内側に曲げられて、前記シリンダがかしめられたフランジと、を有することを特徴とする電子写真感光体ドラムである。
【手続補正２０】
【補正対象書類名】明細書
【補正対象項目名】００２３
【補正方法】変更
【補正の内容】
【００２３】
また、前記目的を達成するための本発明の他の構成は、電子写真画像形成装置に着脱可能なプロセスカートリッジにおいて、（ｉ）カートリッジ枠体と、（ｉｉ）前記カートリッジ枠体に支持されたドラム軸と、（ｉｉｉ）表面に電子写真感光体を有するシリンダと、前記シリンダの軸線方向の端部に設けられたフランジであって、前記シリンダと係合する外周部と、前記ドラム軸と嵌合する穴部と、前記ドラム軸と交差する方向において前記ドラム軸に設けられた固定ピンと係合する、半径方向に延びた溝であって、前記ドラム軸からの駆動力を受ける溝と、を有し、前記溝の延長線と前記外周部と交わる位置から、前記溝の延長線の両側方向に前記穴部の中心を通って前記溝に対して４５°の角度をなす線と前記外周部が交わる位置までの間の前記外周部で、前記穴部を挟んで対向する２箇所の位置において、前記シリンダの一部が前記半径方向において内側に曲げられて、前記シリンダがかしめられたフランジと、を有する、前記ドラム軸によって回転可能に支持された電子写真感光体ドラムと、（ｉｖ）前記電子写真感光体ドラムに作用するプロセス手段と、を有することを特徴とするプロセスカートリッジである。
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００３４
【補正方法】変更
【補正の内容】
【００３４】
スキャナユニット３は、感光ドラム１の略水平方向に配置され、レーザーダイオード（不図示）によって画像信号に対応する画像光が、スキャナモーター（不図示）によって高速回転されるポリゴンミラー９（９ａ、９ｂ、９ｃ、９ｄ）に照射される。ポリゴンミラー９に反射した画像光は、結像レンズ１０（１０ａ、１０ｂ、１０ｃ、１０ｄ）を介して帯電済みの感光ドラム１表面を選択的に露光して静電潜像を形成するように構成している。
【手続補正２７】
【補正対象書類名】明細書
【補正対象項目名】００４８
【補正方法】変更
【補正の内容】
【００４８】
感光ドラムユニット５０は、感光ドラム１が軸受３１ａ、３２ｂ（ベアリング）を介してクリーニング枠体５１に回転自在に取り付けられている。感光ドラム１の周上には、感光ドラム１の表面を一様に帯電させるための一次帯電手段２、及び感光ドラム上に残った現像剤（トナー）を除去するためのクリーニングブレード６０が配置されている。そして、クリーニングブレード６０によって感光ドラム１表面から除去された残留トナーは、トナー送り機構５２によってクリーニング枠体後方に設けられた廃トナー室５３に順次送られる。そして図示後方の一方端に図示しない駆動モータの駆動力を伝達することにより、感光ドラム１を画像形成動作に応じて図示反時計回りに回転駆動させるようにしている。
【手続補正２８】
【補正対象書類名】明細書
【補正対象項目名】００５０
【補正方法】変更
【補正の内容】
【００５０】
そして現像ユニット４は、現像ユニット４の両端に取り付けられた軸受部材４７、４８にそれぞれ設けられた支持軸４９を中心に、ピン４９ａによって現像ユニット４全体が感光ドラムユニット５０に対して揺動自在に支持された吊り構造となっている。そして、プロセスカートリッジ７単体（プリンタ本体に装着しない）状態においては、支持軸４９を中心に回転モーメントにより現像ローラ４０が感光ドラム１に接触するよう、加圧ばね５４によって現像ユニット４が常に付勢されている。さらに現像ユニット４のトナー容器４１は、現像ローラ４０を感光ドラム１から離間させる際にプリンタ本体１００の離間手段（後述）が当接するためのリブ４６が一体的に設けられている
【手続補正２９】
【補正対象書類名】明細書
【補正対象項目名】００７０
【補正方法】変更
【補正の内容】
【００７０】
感光ドラムのシリンダ２０９とフランジ２０１は結合強度を高めるために、図７に示すように、半径方向において内側に、シリンダ２０９の軸線方向の端部の一部を曲げている。すなわち、本実施の形態では、金属製のポンチ４０１を矢印方向から所定の位置まで約１．５ｍｍ侵入させることによって感光ドラムのシリンダ２０９端部の一部を内径側に切り倒しかしめている（以下、かしめ部２０９ａ、２０９ｂという）。ドラムフランジ２０１には、切り倒す部分には逃げ部２０１ｂを設けてある。ドラムフランジ２０１の逃げ部２０１ｂに感光ドラムの端部の一部がしっかり食い込むことにより、高い抜け強度と回転強度をより向上させている。
【手続補正３０】
【補正対象書類名】明細書
【補正対象項目名】００７２
【補正方法】変更
【補正の内容】
【００７２】
図９に示すように、このとき、固定ピン２０８のフランジ２０１との係合位置を、前記楕円の長径方向と同じ角度になるように溝２０１ａを設けると、フランジの内径の穴２０１ｃに対しドラム軸２０３が図中矢印ｆ方向で移動可能になり、ドラム軸の回転と共にドラム位置は画像形成装置内で変動してしまう。
【手続補正３１】
【補正対象書類名】明細書
【補正対象項目名】００７９
【補正方法】変更
【補正の内容】
【００７９】
以上説明したように、電子写真画像形成装置に着脱可能なプロセスカートリッジにおいて、電子写真感光体である円筒状のシリンダ２０９と、シリンダの両端に嵌合する一対のフランジ２０１とは対向する２点（２０９ａ、２０９ｂ）でかしめられている。ここで、かしめ部（２０９ａ、２０９ｂ）とはシリンダの一部を内周方向に曲げたもの、又は、切り倒したものである。さらに、フランジ２０１にはシリンダ２０９と係合する外周部と、シリンダ内径より小さい穴である内周部と、外周部から内周部に放射状にも受けたリブを有し、リブとかしめの点を周方向でずらすことにより、ドラムシリンダにフランジをかしめる時のポンチの力がフランジ内周部の穴まで及ぶことなく、感光ドラム支持軸と嵌合するフランジ内周部の穴を変形させずに、精度良く感光ドラムを支持することができる。
【手続補正３２】
【補正対象書類名】明細書
【補正対象項目名】００８０
【補正方法】変更
【補正の内容】
【００８０】
また、電子写真画像形成装置本体に着脱可能なプロセスカートリッジにおいて、電子写真感光体である円筒状のシリンダと、シリンダの両端に嵌合する一対のフランジとは対向する２点でかしめられている。ここで、かしめとは、シリンダの一部を、内周方向に切り倒したものである。さらにフランジにはシリンダと係合する外周部と、シリンダ内径より小さい穴の内周部と、フランジは軸方向と直交し軸中心を通る溝２０１ａを有し、前記フランジ固定ピンと係合する前記溝２０１ａに係合しているフランジ固定ピン軸方向延長上にシリンダのかしめ部２０９ａ、２０９ｂがあるように構成する。よって、ドラムシリンダ２０９にフランジ２０１をかしめた時にポンチ４０１の力によってフランジ内周部の穴２０１ｃが変形しても、感光ドラム支持軸２０３とフランジ２０１はガタ無く嵌合することができ、精度良く感光ドラムを支持することができる。